(57)【要約】【課題】ワイヤロープに対するオイル塗布の作業性を改善し、ワイヤロープに適量のワイヤー用オイルを連続的に塗布するワイヤロープオイル塗布器を提供する。【解決手段】円筒を半割にした２つの筐体３ａ，３ｂが長手方向の一端で相互に接続され、ワイヤロープ２を内部の開口部２１に収納して筐体３ａ，３ｂの他端同士を閉めることでワイヤロープ２が通過自在となり、筐体３ａ，３ｂの他端同士を開くことでワイヤロープ２が着脱自在となり、筐体３ａ，３ｂは、枝管５から供給されたオイルが通過する給油孔４と、給油孔４を通過して設けられた溝部と、を内面に有し、給油孔４と溝部は、開口部２１の表面にワイヤロープ２に接触する油膜を形成させる。【選択図】図１
2010274246.tif 000002
【特許請求の範囲】
【請求項１】
オイルが収納されたタンクから枝管により接続され、ポンプにより供給されるオイルをワイヤロープに塗布するワイヤロープオイル塗布器であって、
円筒を半割にした２つの筐体が長手方向の一端で相互に接続され、ワイヤロープを内部の開口部に収納して筐体の他端同士を閉めることでワイヤロープが通過自在となり、筐体の他端同士を開くことでワイヤロープが着脱自在となり、
筐体は、枝管から供給されたオイルを開口部の表面に連通させる給油孔と、給油孔に連通して設けられた溝部とを内面に有し、給油孔と溝部は、開口部の表面にワイヤロープに接触する油膜を形成させることを特徴とするワイヤロープオイル塗布器。
【請求項２】
請求項１に記載のワイヤロープオイル塗布器であって、溝部は、２つの半割の筐体内面に連続した螺旋を形成するように設けられることを特徴とするワイヤロープオイル塗布器。
【請求項３】
請求項１に記載のワイヤロープオイル塗布器であって、溝部は、２つの半割の筐体内面に連続した格子を形成するように設けられることを特徴とするワイヤロープオイル塗布器。
【請求項４】
請求項１乃至３のいずれか１に記載のワイヤロープオイル塗布器であって、筐体の上端又は下端には、ワイヤロープに接触するフェルトが装着されたユニットが着脱自在に取付けられることを特徴とするワイヤロープオイル塗布器。
【請求項５】
請求項１乃至４のいずれか１に記載のワイヤロープオイル塗布器であって、筐体の上端又は下端には、ワイヤロープに接触するブラシが装着されたユニットが着脱自在に取付けられることを特徴とするワイヤロープオイル塗布器。
【請求項６】
請求項１乃至５のいずれか１に記載のワイヤロープオイル塗布器であって、筐体の内側には、ワイヤロープの径に合わせて選択される円筒状の厚み調整用筐体が着脱可能であり、給油孔及び溝部は、厚み調整用筐体の内面に設けられることを特徴とするワイヤロープオイル塗布器。
【請求項７】
請求項１乃至６のいずれか１に記載のワイヤロープオイル塗布器であって、筐体は、ワイヤロープに対して反転して取付け可能であることを特徴とするワイヤロープオイル塗布器。
【発明の詳細な説明】
【技術分野】
【０００１】
本発明は、ワイヤロープオイル塗布器に係り、特に、オイルが収納されたタンクから枝管により接続され、ポンプにより供給されるオイルをワイヤロープに塗布するワイヤロープオイル塗布器に関する。
【背景技術】
【０００２】
例えば、エレベータかごを吊下げるワイヤロープは、耐久性を維持させるために定期的な保守点検に際に給油する必要がある。この給油作業は、オイルスプレー缶によりオイルを直接ワイヤロープに噴霧する方法、及び液体オイルを刷毛により塗布する方法が一般的である。
【０００３】
一方、特許文献１には、ワイヤロープの給油作業時にオイルが周囲に飛散しない、また給油されたオイルを均一に塗り延ばすエレベータ主ワイヤロープ給油治具が開示されている。ここでは、割型構造から成る円筒カバーを備えた治具本体を含み、円筒カバーの側面に給油スプレーのノズルが挿入される開口部が設けられ、円筒カバーは主ワイヤロープを覆うように組み立てられる。そして、治具本体に割型構造から成る内円筒カバーが回転可能に内設され、内円筒カバーに主ワイヤロープのより溝にはまり込む案内凸部と給油されたオイルを均一に塗り延ばすブラシが設けられている。
【先行技術文献】
【特許文献】
【０００４】
【特許文献１】特開平９−１２２４７号公報
【発明の概要】
【発明が解決しようとする課題】
【０００５】
従来のオイルスプレー缶によりオイルを直接ワイヤロープに噴霧する方法、及び液体オイルを刷毛により塗布する方法では、連続的な塗布ができず、ワイヤオイルを塗布している間、或いはその後にオイルが飛散するという問題があった。
【０００６】
一方、特許文献１に記載されたワイヤロープ給油治具は、給油スプレーにより給油を行うため、ワイヤオイルの給油量を調節することができない。このため、給油に必要な量を超えたワイヤオイルは、給油後に飛散するという問題があった。また、ワイヤロープと接触するブラシは、給油する間に、古いワイヤオイル、異物、塵埃などにより汚れてしまい、ワイヤオイルの浸透性が低下するという問題があった。
【０００７】
本願の目的は、かかる課題を解決し、ワイヤロープに対するオイル塗布の作業性を改善し、ワイヤロープに適量のワイヤ用オイルを連続的に塗布するワイヤロープオイル塗布器を提供することである。
【課題を解決するための手段】
【０００８】
上記目的を達成するため、本発明に係るワイヤロープオイル塗布器は、オイルが収納されたタンクから枝管により接続され、ポンプにより供給されるオイルをワイヤロープに塗布するワイヤロープオイル塗布器であって、円筒を半割にした２つの筐体が長手方向の一端で相互に接続され、ワイヤロープを内部の開口部に収納して筐体の他端同士を閉めることでワイヤロープが通過自在となり、筐体の他端同士を開くことでワイヤロープが着脱自在となり、筐体は、枝管から供給されたオイルを開口部の表面に連通させる給油孔と、給油孔に連通して設けられた溝部とを内面に有し、給油孔と溝部は、開口部の表面にワイヤロープに接触する油膜を形成させることを特徴とする。
【０００９】
上記構成により、ワイヤロープオイル塗布器は、ワイヤロープを囲う２つの判割の筐体の内面に枝管から供給されたオイルが通過する給油孔を有し、このオイルが給油孔と連通して設けられた溝部に流れ、筐体内部の開口部に油膜が形成される。そして、この筐体内部の開口部にワイヤロープを通過させることで、ワイヤロープに油膜を擦り付けることができる。すなわち、従来の液体オイルを刷毛により塗布する方法のようにワイヤロープ全体にオイルを塗布することができ、しかもワイヤロープに適量のワイヤー用オイルを連続的に塗布することができる。
【００１０】
また、ワイヤロープオイル塗布器は，溝部が、２つの半割の筐体内面に連続した螺旋を形成するように設けられることが好ましい。また、ワイヤロープオイル塗布器は，溝部が、２つの半割の筐体内面に連続した格子を形成するように設けられることが好ましい。これにより、螺旋状、或いは格子状に形成された溝部にオイルが流れ、筐体の内面全体が油膜となり、ワイヤロープにワイヤー用オイルを一様に塗布することができる。
【００１１】
また、ワイヤロープオイル塗布器は，筐体の上端又は下端には、ワイヤロープに接触するフェルトが装着されたユニットが着脱自在に取付けられることが好ましい。或いは、筐体の上端又は下端には、ワイヤロープに接触するブラシが装着されたユニットが着脱自在に取付けられることが好ましい。これにより、ワイヤロープの状態に合わせてフェルト及びブラシを選択して取り付けることができる。
【００１２】
また、ワイヤロープオイル塗布器は，筐体の内側には、ワイヤロープの径に合わせて選択される円筒状の厚み調整用筐体が着脱可能であり、給油孔及び溝部は、厚み調整用筐体の内面に設けられることが好ましい。これにより、使用するワイヤロープの径が異なる場合でも、円筒状のロープ調整部により調整することができる。
【００１３】
さらに、ワイヤロープオイル塗布器は，筐体は、ワイヤロープに対して反転して取付け可能であることが好ましい。これにより、ワイヤロープに対してワイヤロープオイル塗布器の取り付け向きを状況に応じて交替させることができる。
【発明の効果】
【００１４】
以上のように、本発明に係るワイヤロープオイル塗布器によれば、ワイヤロープに対するオイル塗布の作業性を改善し、ワイヤロープに適量のワイヤー用オイルを連続的に塗布することが可能となる。
【図面の簡単な説明】
【００１５】
【図１】本発明に係るワイヤロープオイル塗布器の１つの実施形態の概略構成を示す斜視図である。
【図２】ワイヤロープオイル塗布器の２つの半割の筐体を開いた状態にして内部の構成を示す斜視図である。
【図３】ワイヤロープオイル塗布器の横断面図である。
【図４】筐体の開口部の表面に設けた溝部を展開して示した展開図である。
【図５】フェルトユニット、及びブラシユニットを取付けたワイヤロープオイル塗布器の縦断面図である。
【図６】厚み調整用筐体を組み込んだワイヤロープオイル塗布器の実施例を示す断面図である。
【発明を実施するための形態】
【００１６】
以下に、図面を用いて本発明に係るワイヤロープオイル塗布器の実施形態につき、詳細に説明する。
【００１７】
図１にワイヤロープオイル塗布器の１つの実施形態の概略構成を示す。また、図２に、ワイヤロープオイル塗布器の２つの半割の筐体３ａ，３ｂを開いた状態にして内部の構成を示す。さらに、図３に、ワイヤロープオイル塗布器の横断面図を示す。図１に示すように、ワイヤロープオイル塗布器１には、ポンプ７によりオイルが供給される。すなわち、ワイヤロープオイル塗布器１は、タンクキャップ８からオイルが収納されるタンク６と、主枝管９から分岐された枝管５を介して接続される。そして、供給されるオイルは、油圧調整バルブ１０によりその油量が調整される。このように、ワイヤロープオイル塗布器１は、供給されたオイルをワイヤロープ２に塗布する治具である。本実施形態では、枝管５は４本であり筐体３ａ，３ｂに対して上下２段に２箇所接続されるが、この本数及び接続位置はこれに限らない。
【００１８】
ワイヤロープオイル塗布器１は、内部に開口部２１を有する円筒を半割にした２つの筐体３ａ，３ｂから構成される。この筐体３ａ，３ｂは、長手方向の一端で蝶番１４により相互に接続される。そして、ワイヤロープオイル塗布器１は、ワイヤロープ２を内部の開口部２１に収納して筐体３ａ，３ｂの他端同士をフック１３ａ，１３ｂにより閉める。開口部２１の直径はワイヤロープ２の最大径よりも略１ｍｍ程度大きいことから、ワイヤロープ２は、ワイヤロープオイル塗布器１の開口部２１を通過自在となる。この筐体３ａ，３ｂの他端同士に取り付けられたフック１３ａ，１３ｂを外して開くことでワイヤロープ２がワイヤロープオイル塗布器１から着脱自在となる。
【００１９】
図２に示すように、筐体３ａ，３ｂは、枝管５から供給されたオイルを開口部２１の表面に連通させる給油孔４と、給油孔４に連通して設けられた溝部１２とを内面に有する。図３に示すように、給油孔４は、筐体３ａ，３ｂを貫通する。また、筐体３ａ，３ｂは、それぞれの端部が密着する。この構成により、枝管５から供給されたオイルは、給油孔４を通過して溝部１２に到達し、ワイヤロープオイル塗布器１の外部に漏れることなく塗布面２２全体に拡散して油膜を形成する。
【００２０】
図４に、筐体３ａ，３ｂの開口部２１の表面に設けた溝部１２を展開して示す。図４（ａ）には、筐体３ａ，３ｂのそれぞれの溝部１２ａが連続した螺旋状に形成された例を示す。図４（ｂ）には、筐体３ａ，３ｂのそれぞれの溝部１２ｂが連続した格子状に形成された例を示す。これらの溝部１２ａ，１２１ｂは給油孔４に連通しているため、枝管５から供給されたオイルは溝部１２ａ，１２ｂに伝わりながら塗布面２２全体に拡散して油膜を形成する。
【００２１】
この筐体３ａ，３ｂ内部の開口部２１にワイヤロープ２を通過させることで、ワイヤロープ２に油膜を擦り付けることができる。この作業は、作業員がエレベータの保守点検時にエレベータホールの上部にある機械室にて行われる。この機械室においてワイヤロープ２が露出した箇所にワイヤロープオイル塗布器１を取付ける。すなわち、ワイヤロープ２を内部の開口部２１に収納して筐体３ａ，３ｂの他端同士をフック１３ａ，１３ｂにより閉める。このとき、作業員はワイヤロープオイル塗布器１の取手１１を手で持つ。そして、ポンプ７を起動させ油圧調整バルブ１０で油量を調節しながらエレベータを低速で運転する。エレベータが低速運転するとワイヤロープ２が上下方向に移動し、作業員はワイヤロープオイル塗布器１を固定しながらワイヤロープ２にオイルを塗布する。このように、作業員は、ワイヤロープ２に適量のオイルを連続的に塗布することができる。
【００２２】
図５に、フェルトユニット１５を取付けたワイヤロープオイル塗布器１を縦断面図で示す。図５は、図３のＡ−Ａ断面である。図５では、筐体３ａ，３ｂの下端にフェルト１７が装着されたフェルトユニット１５が着脱自在に接続されるが、筐体３ａ，３ｂの上端」に装着されても良い。すなわち、ワイヤロープ２に塗布されたオイルをフェルト１７により拭き取る場合には、筐体３ａ，３ｂの上端又は下端にフェルトユニット１５を接続させる。本実施形態では、筐体３ａ，３ｂとフェルトユニット１５とは、２箇所でピン２３により接続する。これにより、ワイヤロープ２へのオイルの塗布状態に合わせてフェルト１７を選択して取り付けることができる。
【００２３】
また、図５に、ブラシユニット１６を取付けたワイヤロープオイル塗布器１を縦断面図で示す。筐体３ａ，３ｂの上端にはブラシ１８が装着されたユニットが着脱自在に接続されるが、筐体３ａ，３ｂの上端」に装着されても良い。すなわち、ワイヤロープ２に固着したオイルを予めブラシ１８により除去する場合には、筐体３ａ，３ｂの上端又は下端にブラシユニット１６を接続させる。本実施形態では、筐体３ａ，３ｂとブラシユニット１６とは、２箇所でピン２４により接続する。これにより、ワイヤロープ２に対するオイルの固着状態に合わせてブラシ１８を選択して取り付けることができる。
【００２４】
図６に、厚み調整用筐体を組み込んだワイヤロープオイル塗布器１の実施例を断面で示す。ワイヤロープ２は、その径が、例えば１０ｍｍ、１２ｍｍ、１４ｍｍなどの種類がある。本ワイヤロープオイル塗布器１は、ワイヤロープ２と筐体３ａ，３ｂの内壁との間隔を略１ｍｍ前後とするため、ワイヤロープ２の径に合わせて数種類のワイヤロープ塗布器１を用意する必要がある。そこで、ワイヤロープ２の径に合わせて選択される円筒状の厚み調整用筐体２５ａ，２５ｂを用意し、筐体３ａ，３ｂの内側にネジ２６により着脱自在に取付ける。このとき、筐体３ａ，３ｂの給油孔４と調整用筐体２５ａ，２５ｂの厚み調整用筐体給油孔２７とが連通するようにネジ２６の位置が設定される。そして、溝部１２は、厚み調整用筐体２５ａ，２５ｂの内面に設けられる。これにより、枝管５を取り外すことなくワイヤロープ２の径に合わせてワイヤロープオイル塗布器１をセットすることができる。
【符号の説明】
【００２５】
１  ワイヤロープオイル塗布器、２  ワイヤロープ、３ａ，３ｂ  筐体、４  給油孔、５  枝管、６  タンク、７  ポンプ、８  タンクキャップ、９  主枝管、１０  油圧調整バルブ、１１  取手、１２ａ，１２ｂ  溝部、１３ａ．１３ｂ  フック、１４  蝶番、１５  フェルトユニット、１６  ブラシユニット、１７  フェルト、１８  ブラシ、１９  フェルト接合部、２０  ブラシ接合部、２１  開口部、２２  塗布面、２３，２４  ピン、２５ａ，２５ｂ  厚み調整用筐体、２６  ネジ、２７  厚み調整用筐体給油孔。
【図１】
2010274246.tif 000003
【図２】
2010274246.tif 000004
【図３】
2010274246.tif 000005
【図４】
2010274246.tif 000006
【図５】
2010274246.tif 000007
【図６】
2010274246.tif 000008